(57)【特許請求の範囲】
【請求項１】
回線を介した相手側装置との通信を制御する通信制御装置にネットワーク接続可能に構成され、その通信制御装置および回線を介して相手側装置に画像データを送信する通信装置であって、
所定の識別情報により特定される相手側装置への画像データの送信を指示する送信指示手段と、
各々に識別情報が対応付けられている複数台の通信制御装置が存在する場合に、これら複数台の通信制御装置の中から、１の通信制御装置を第１通信制御装置として選定する選定手段と、
前記選定手段による第１通信制御装置の選定と、前記送信指示手段による画像データの送信指示とが行われた場合に、前記第１通信制御装置から回線を介して前記所定の識別情報により特定される相手側装置へ画像データが送信されるように、前記所定の識別情報と画像データとを前記第１通信制御装置へ送信する第１の送信手段であって、送信元の識別情報が回線の中継装置から相手側装置に通知されないようにするための所定の付加情報を付加することなく、前記所定の識別情報を前記第１通信制御装置へ送信する前記第１の送信手段と、
その第１の送信手段による送信が不成功であった場合には、前記複数台の通信制御装置の中から、他の通信制御装置を前記第１通信制御装置に替わる第２通信制御装置として選定し、前記第２通信制御装置から回線を介して前記所定の識別情報により特定される相手側装置へ画像データが送信されるように、前記所定の識別情報と画像データとを前記第２通信制御装置へ送信する第２の送信手段と、
その第２の送信手段により送信される前記所定の識別情報に、前記所定の付加情報を付加する制御手段とを備えていることを特徴とする通信装置。
【請求項２】
前記選定手段により第１通信制御装置が選定された場合に、その第１通信制御装置を示す情報を記憶する第１の情報記憶手段を備え
前記第２の送信手段は、前記所定の識別情報と画像データを前記第２通信制御装置へ送信すると共に、前記第２通信制御装置が相手側装置へ出力する発信元情報として、前記第１の情報記憶手段に記憶されている情報を該第２通信制御装置へ送信することを特徴とする請求項１記載の通信装置。
【請求項３】
前記選定手段により第１通信制御装置が選定された場合に、その第１通信制御装置を示す情報を記憶する第２の情報記憶手段と、
前記第２の情報記憶手段に記憶されている情報を、送信すべき画像データに付加する情報付加手段とを備え、
前記第１の送信手段又は第２の送信手段は、前記第１通信制御装置又は第２通信制御装置へ送信する画像データとして、前記情報付加手段によって情報が付加された画像データを送信することを特徴とする請求項１又は２記載の通信装置。
【請求項４】
複数の相手側装置の各々について、相手側装置の識別情報を記憶可能な相手側装置記憶手段と、
前記第１の送信手段は、前記相手側装置記憶手段に記憶されている相手側装置の中から、１の相手側装置の識別情報が画像データの送信先として選択されて、前記送信指示手段による画像データの送信指示がされた場合には、その選択された識別情報を前記所定の識別情報として前記第１通信制御装置へ送信するものであり、
前記送信指示手段による画像データの送信先とされる相手側装置の識別情報が、前記相手側装置記憶手段に記憶されている識別情報以外の識別情報である場合に、前記第１の送信手段による送信が不成功であれば、前記第２の送信手段による送信を禁止して、報知を行う報知手段を備えていることを特徴とする請求項１から３のいずれかに記載の通信装置。
【請求項５】
複数の相手側装置の各々について、相手側装置の識別情報と、前記第２の送信手段による前記付加情報が付加された識別情報の送信を行うことを示す第１情報、又は、前記付加情報が付加された識別情報の送信を行わないことを示す第２情報のいずれかとを対応付けて記憶可能な相手側装置記憶手段と、
前記第１の送信手段は、前記相手側装置記憶手段に記憶されている相手側装置の中から、１の相手側装置の識別情報が画像データの送信先として選択されて、前記送信指示手段による画像データの送信指示がなされた場合には、その選択された識別情報を前記所定の識別情報として前記第１通信制御装置へ送信するものであり、
前記第２の送信手段は、前記相手側装置記憶手段に記憶されている相手側装置の中から１の相手側装置の識別情報が画像データの送信先として選択された場合には、その選択された識別情報に対して前記相手側装置記憶手段において前記第１情報が対応付けられている場合には、前記所定の付加情報が付加された前記選択された識別情報を、前記所定の番号として前記第２通信制御装置へ送信する一方で、前記第２情報が対応付けられている場合には、前記選択された識別情報を、前記所定の番号として前記第２通信制御装置へ送信することを特徴とする請求項１から４のいずれかに記載の通信装置。
【請求項６】
前記回線は、電話回線であり、
前記制御手段は、前記第２の送信手段により送信される前記所定の識別情報に、送信元の識別情報が交換機から相手側装置に通知されないようにするための所定の付加情報を付加することを特徴とする請求項１から５のいずれかに記載の通信装置。
【請求項７】
回線を介した相手側装置との通信を制御する通信制御装置と、その通信制御装置にネットワーク接続可能に構成され、その通信制御装置および回線を介して相手側装置に画像データを送信する通信装置とから構成される通信システムであって、
前記通信装置は、
所定の識別情報により特定される相手側装置への画像データの送信を指示する送信指示手段と、
各々に識別情報が対応付けられている複数台の通信制御装置が存在する場合に、これら複数台の通信制御装置の中から、１の通信制御装置を第１通信制御装置として選定する選定手段と、
前記選定手段による第１通信制御装置の選定と、前記送信指示手段による画像データの送信指示とが行われた場合に、前記第１通信制御装置から電話回線を介して前記所定の識別情報により特定される相手側装置へ画像データが送信されるように、前記所定の識別情報と画像データとを前記第１通信制御装置へ送信する第１の送信手段であって、送信元の識別情報が回線の中継装置から相手側装置に通知されないようにするための所定の付加情報を付加することなく、前記所定の識別情報を前記第１通信制御装置へ送信する前記第１の送信手段と、
その第１の送信手段による送信が不成功であった場合には、前記複数台の通信制御装置の中から、他の通信制御装置を前記第１通信制御装置に替わる第２通信制御装置として選定し、前記第２通信制御装置から電話回線を介して前記所定の識別情報により特定される相手側装置へ画像データが送信されるように、前記所定の識別情報と画像データとを前記第２通信制御装置へ送信する第２の送信手段と、
その第２の送信手段により送信される前記所定の識別情報に、前記所定の付加情報を付加する制御手段とを備え、
前記通信制御装置は、
前記第１の送信手段又は前記第２の送信手段により前記通信装置から送信された前記所定の識別情報により特定される相手側装置に接続要求を行う接続要求手段と、
その接続要求手段による接続要求に基づいて相手側装置が回線に接続された場合に、前記第１の送信手段又は前記第２の送信手段により前記通信装置から送信された画像データを該相手側装置に送信する画像データ送信手段とを備えていることを特徴とする通信システム。
【請求項８】
回線を介した相手側装置との通話を制御する通信制御装置にネットワーク接続可能に構成され、その通信制御装置および回線を介して相手側装置との通話を行う電話装置であって、
所定の識別情報により特定される相手側装置との通話の開始を指示する通話指示手段と、
各々に識別情報が対応付けられている複数台の通信制御装置が存在する場合に、これら複数台の通信制御装置の中から、１の通信制御装置を第１通信制御装置として選定する選定手段と、
前記選定手段による第１通信制御装置の選定と、前記通話指示手段による通話の開始指示とが行われた場合に、前記第１通信制御装置から回線を介して前記所定の識別情報により特定される相手側装置との通話を行うために、前記所定の識別情報を前記第１通信制御装置へ送信する第１の送信手段であって、送信元の識別情報が回線の中継装置から相手側装置に通知されないようにするための所定の付加情報を付加することなく、前記所定の識別情報を前記第１通信制御装置へ送信する前記第１の送信手段と、
その第１の送信手段による送信が不成功であった場合には、前記複数台の通信制御装置の中から、他の通信制御装置を前記第１通信制御装置に替わる第２通信制御装置として選定し、前記第２通信制御装置から回線を介して前記所定の識別情報により特定される相手側装置との通話を行うために、前記所定の識別情報を前記第２通信制御装置へ送信する第２の送信手段と、
前記第２の送信手段により送信される前記所定の識別情報に、前記所定の付加情報を付加する制御手段とを備えていることを特徴とする通話装置。
【発明の詳細な説明】
【技術分野】
【０００１】
本発明は、通信装置、通信システム、および通話装置に関するものである。
【背景技術】
【０００２】
特許文献１には、ファクシミリ装置と無線接続可能な構内回線を収容すると共に、複数の電話回線に接続される構内交換機（ＰＢＸ）が記載されている。特許文献１には、この構内交換機が、無線接続されているファクシミリ装置から発呼が選択された場合に、複数の電話回線の中から空いている回線を探し、見つかった空き回線を介して発呼してファクシミリデータを送信する技術が記載されている。
【先行技術文献】
【特許文献】
【０００３】
【特許文献１】特開２００１−２５０４０号公報
【発明の概要】
【発明が解決しようとする課題】
【０００４】
しかしながら、特許文献１に記載される構内交換機は、空き回線を介して発呼を行うので、ファクシミリ装置のユーザは、発呼のために使用する回線として、複数の電話回線の中から、所望する回線番号に対応付けられた１の回線を選ぶことはできない。また、発呼のために使用した回線の回線番号は、例えば、ナンバーディスプレイ情報などによって発呼先の相手側装置に通知されるので、特許文献１の構成によれば、構内交換機が選定した空き回線の回線番号が相手側装置に通知される。よって、ファクシミリ装置のユーザが、複数の電話回線のうち、特定の回線以外の回線の使用を相手側装置のユーザに知らせたくない状況があったとしても、その状況に対応することができない。
【０００５】
本発明は、上記事情を鑑みてなされたものであり、複数の回線の中から１の回線をユーザが選定したものの、他の回線を使用せざるを得ない状況が生じた場合に、当該他の回線の使用が相手側装置のユーザに知られる不都合を防止できる通信装置、通信システム、および通話装置を提供することを目的としている。
【課題を解決するための手段】
【０００６】
この目的を達成するために、本発明の通信装置は、回線を介した相手側装置との通信を制御する通信制御装置にネットワーク接続可能に構成され、その通信制御装置および回線を介して相手側装置に画像データを送信するものであって、所定の識別情報により特定される相手側装置への画像データの送信を指示する送信指示手段と、各々に識別情報が対応付けられている複数台の通信制御装置が存在する場合に、これら複数台の通信制御装置の中から、１の通信制御装置を第１通信制御装置として選定する選定手段と、前記選定手段による第１通信制御装置の選定と、前記送信指示手段による画像データの送信指示とが行われた場合に、前記第１通信制御装置から回線を介して前記所定の識別情報により特定される相手側装置へ画像データが送信されるように、前記所定の識別情報と画像データとを前記第１通信制御装置へ送信する第１の送信手段であって、送信元の識別情報が回線の中継装置から相手側装置に通知されないようにするための所定の付加情報を付加することなく、前記所定の識別情報を前記第１通信制御装置へ送信する前記第１の送信手段と、その第１の送信手段による送信が不成功であった場合には、前記複数台の通信制御装置の中から、他の通信制御装置を前記第１通信制御装置に替わる第２通信制御装置として選定し、前記第２通信制御装置から回線を介して前記所定の識別情報により特定される相手側装置へ画像データが送信されるように、前記所定の識別情報と画像データとを前記第２通信制御装置へ送信する第２の送信手段と、その第２の送信手段により送信される前記所定の識別情報に、前記所定の付加情報を付加する制御手段とを備えている。
【０００７】
なお、本発明は、通信装置、該通信装置を制御する制御装置、通信方法、通信装置を制御する制御プログラム、該制御プログラムを記録する記録媒体等の種々の態様で構成することができる。
【発明の効果】
【０００８】
請求項１記載の通信装置によれば、最初に選択した１の通信制御装置（第１の通信制御装置）へのデータ送信が何らかの原因で不成功になった場合には、他の通信制御装置を、第１の通信制御装置に替わる第２の通信制御装置として選択して使用するが、その場合には、相手側装置を特定する所定の識別情報に、送信元の識別情報が回線の中継装置から相手側装置に通知されないようにするための所定の付加情報を付加したものが、制御手段によって当該他の通信制御装置へ送信される。よって、相手側装置には、代替的に使用した他の通信制御装置（第２の通信制御装置）の識別情報が回線の中継装置から通知されることがなく、第２の通信制御装置の識別情報が相手側装置のユーザに知られる不都合を防止できるという効果がある。
【０００９】
請求項２記載の通信装置によれば、請求項１の奏する効果に加え、実際には第２の通信制御装置が画像データの発信元であるにもかかわらず、その第２の通信制御装置を介して第１の情報記憶手段に記憶されている情報（即ち、第１の通信制御装置を示す情報）が画像データの発信元情報として相手側装置に送信されるので、第２の通信制御装置を示す情報が相手側装置のユーザに知られる不都合を防止できるという効果がある。
【００１０】
請求項３記載の通信装置によれば、請求項１又は２の奏する効果に加え、実際には第２の通信制御装置が画像データの発信元であるにもかかわらず、第２の情報記憶手段に記憶されている情報（即ち、第１の通信制御装置を示す情報）が付加された画像データが、当該第２の通信制御装置を介して相手側装置に送信されるので、相手側装置から出力される画像から、第２の通信制御装置を示す情報が相手側装置のユーザに知られてしまう不都合を防止できるという効果がある。なお、請求項３の「第２の情報記憶手段」は、請求項２の「第１の情報記憶手段」と同じものであっても異なるものであってもよい。
【００１１】
請求項４記載の通信装置によれば、請求項１から３のいずれかの奏する効果に加え、相手側装置記憶手段に識別情報が記憶されていない相手側装置に画像データを送信する場合に、最初に選択した第１の通信制御装置へのデータ送信が不成功であったときには、第２の通信制御装置へのデータ送信を禁止するので、その都度、送信先の相手側装置に応じた適切な対処ができるという効果がある。また、報知が行われるので、通信装置のユーザは、その旨を早々に認識できるという効果がある。
【００１２】
請求項５記載の通信装置によれば、請求項１から４のいずれかの奏する効果に加え、相手側装置記憶手段は、相手側装置の識別情報と、付加情報が付加された識別情報の送信を行うことを示す第１情報、又は、付加情報が付加された識別情報の送信を行わないことを示す第２情報のいずれかとを対応付けて記憶できるように構成されているので、相手側装置への通知内容を自在に設定できるという効果がある。
【００１３】
請求項６記載の通信装置によれば、請求項１から５のいずれかの奏する効果に加え、電話回線を介して相手側装置に画像データを送信する場合に、最初に選択した第１の通信制御装置へのデータ送信が不成功であったときには、送信元の識別情報が交換機から相手側装置に通知されないようにするための所定の付加情報を、相手側装置の識別番号に付加するので、代替的に使用した第２の通信制御装置の識別情報が相手側装置のユーザに通知される不都合を防止できるという効果がある。
【００１４】
請求項７記載の通信システムによれば、請求項１記載の通信装置と同様の効果を奏する。また、請求項８記載の通話装置によれば、請求項１記載の通信装置と同様の効果を奏する。
【図面の簡単な説明】
【００１５】
【図１】本発明の通信システムの一実施形態である通信システム１の構成を示すブロック図である。
【図２】（ａ）〜（ｄ）は、それぞれ、ＢＯＸ情報メモリ、電話帳メモリ、発信履歴メモリ、および受信履歴メモリの内容を示す模式図である。
【図３】ＭＦＰのＣＰＵによって実行されるＦＡＸ送信処理を示すフローチャートである。
【図４】ＢＯＸのＣＰＵによって実行される通信制御処理を示すフローチャートである。
【発明を実施するための形態】
【００１６】
以下、本発明の好ましい実施形態について、添付図面を参照して説明する。図１は、本発明の通信システムの一実施形態である通信システム１の構成を示すブロック図である。図１に示すように、通信システム１は、本発明の通信装置の一実施形態である多機能周辺装置（以下、「ＭＦＰ」と称す）１０と、通信制御装置（以下、「ＢＯＸ」と称す）３０とから構成される。
【００１７】
本実施形態では、１台のＭＦＰ１０に対し、１又は複数台のＢＯＸ３０を接続できるように構成されている。図１には、１台のＭＦＰ３０と、３台のＢＯＸ３０とから構成された通信システム１を例示している。１台のＢＯＸ３０には１の回線番号が対応づけられている。よって、ＭＦＰ１０は、相手側装置５００へ画像データを送信する際に使用するＢＯＸ３０を適宜選ぶことにより、画像データの送信を異なる回線番号の回線から行うことができる。
【００１８】
ＭＦＰ１０は、プリンタ機能、スキャナ機能、コピー機能、ファクシミリ（ＦＡＸ）機能などの各種機能を有する。ＭＦＰ１０は、ＦＡＸとして機能する場合に、相手側装置５００へ送信する画像データ（以下、「ＦＡＸ送信データ」と称す）を作成し、そのＦＡＸ送信データをＢＯＸ１０へ送信する。
【００１９】
詳細は後述するが、本実施形態のＭＦＰ１０は、ＦＡＸ送信データの発信元として最初に選定されたＢＯＸ３０との間で通信エラー（例えば、ＭＦＰ１０とＢＯＸ３０との間の接続の不具合）が生じた場合に、他のＢＯＸ３０を替わりに使用してＦＡＸ送信データの送信を行う。そして、替わりのＢＯＸ３０を使用してＦＡＸ送信データの送信を行う場合には、ＭＦＰ１０は、代替的に使用したＢＯＸ３０が相手側装置５００のユーザに特定されることを防ぐための制御を行う。
【００２０】
ＭＦＰ１０は、ＣＰＵ１１と、ＲＯＭ１２と、ＲＡＭ１３と、ＥＥＰＲＯＭ１４と、無線ＬＡＮ通信制御回路１５と、プリンタ１６と、スキャナ１７と、液晶ディスプレイ（以下、「ＬＣＤ」と称す）１８と、ボタン入力部１９とを有する。これらの構成要素は、入出力ポート２０を介して互いに接続されている。
【００２１】
ＣＰＵ１１は、ＲＯＭ１２等に記憶される固定値やプログラムに従って、各機能の制御や、入出力ポート２０を介して接続されている各部を制御する。
【００２２】
ＲＯＭ１２は、ＣＰＵ１１で実行される制御プログラムなどを格納した書換不能なメモリであって、図３を参照して後述するＦＡＸ送信処理を実行するプログラムなどが格納されている。
【００２３】
ＲＡＭ１３は、書換可能な揮発性のメモリであり、相手先番号バッファ１３ａと、発信元情報バッファ１３ｂと、ＢＯＸ番号メモリ１３ｃと、ＢＯＸ台数カウンタ１３ｄとが設けられている。
【００２４】
相手先番号バッファ１３ａは、ＦＡＸ送信処理（図３参照）において、ユーザがＦＡＸ送信データの送信先として入力した相手先番号（即ち、相手側装置５００の回線番号）を格納する領域である。発信元情報バッファ１３ｂは、ＦＡＸ送信処理において、ＦＡＸ送信データの発信元として最初に選定された１台のＢＯＸ３０の発信元情報を格納する領域である。
【００２５】
ＢＯＸ番号メモリ１３ｃは、ＦＡＸ送信処理において、ＦＡＸ送信データの発信元として使用するＢＯＸ３０を特定する変数（以下、この変数を「ＢＯＸ番号」と称す）を格納する領域である。ＢＯＸ台数カウンタ１３ｄは、ＦＡＸ送信処理において、ＦＡＸ送信データの発信元として使用するＢＯＸ３０の探索を行う場合に、探索済みのＢＯＸ３０の台数を計数するためのカウンタである。
【００２６】
ＥＥＰＲＯＭ１４は、書換可能な不揮発性のメモリであり、ＢＯＸ情報メモリ１４ａと、電話帳メモリ１４ｂと、発信履歴メモリ１４ｃと、受信履歴メモリ１４ｄとが設けられている。
【００２７】
ＢＯＸ情報メモリ１４ａは、ＭＦＰ１０が接続可能なＢＯＸ３０に関する情報（この情報を「ＢＯＸ情報」と称す）を、１台のＢＯＸ３０毎に記憶する領域である。このＢＯＸ情報メモリ１４ａの詳細構成については、図２（ａ）を参照して後述する。
【００２８】
電話帳メモリ１４ｂは、ユーザによって登録された相手側装置５００に関する情報（この情報を「相手先情報」と称す）を記憶する領域である。この電話帳メモリ１４ｂの詳細構成については、図２（ｂ）を参照して後述する。
【００２９】
発信履歴メモリ１４ｃは、ＭＦＰ１０から発信（送信）したＦＡＸ送信データの発信履歴を記憶する領域であり、受信履歴メモリ１４ｄは、相手側装置５００から受信した画像データの履歴（即ち、受信履歴）を記憶する領域である。発信履歴メモリ１４ｃの詳細構成については、図２（ｃ）を参照して、受信履歴メモリ１４ｄの詳細構成については、図２（ｄ）を参照して、それぞれ後述する。
【００３０】
無線ＬＡＮ通信制御回路１５は、ＩＥＥＥ８０２．１１ｂ／ｇの規格に準拠した無線ＬＡＮにより、２．４ＧＨｚ帯を利用した無線通信５０を行うための回路である。この無線ＬＡＮ通信制御回路１５により、ＭＦＰ１０とＢＯＸ３０との間に無線ＬＡＮ接続が形成される。無線ＬＡＮ通信制御回路１５にはアンテナ部（図示せず）が接続されており、このアンテナ部を介して、各種のデータを構成するデジタル信号を送受信する。
【００３１】
プリンタ１６は印刷を実行するものであり、スキャナ１７は原稿の読み取りを実行するものである。ＬＣＤ１８は、ＭＦＰ１０の各種機能情報を表示するものであり、ボタン入力部１９は、ＭＦＰ１０の各機能を実行するために使用するキー群である。ボタン入力部１９は、相手先番号を入力するためのテンキーや、各種機能における動作の開始を指示するスタートキーを含んでいる。
【００３２】
ＢＯＸ３０は、電話回線網１００を使用した通信の制御を行う通信制御装置である。上述した通り、本実施形態では、１台のＭＦＰ１０に対し、１又は複数台のＢＯＸ３０を接続できるように構成されており、１台のＢＯＸ１０毎に、１の回線番号が対応づけられている。図１に示す例では、ＭＦＰ１０に接続可能な３台のＢＯＸ３０には、それぞれ、回線番号「０５２−８２４−１１１１」、回線番号「０５２−８２４−２２２２」、および回線番号「０５２−８２４−３３３３」に対応付けられている。以下の説明では、便宜上、回線番号「０５２−８２４−１１１１」に対応付けられたＢＯＸ３０を「ＢＯＸ３０ａ」と称し、回線番号「０５２−８２４−２２２２」に対応付けられたＢＯＸ３０を「ＢＯＸ３０ｂ」と称し、回線番号「０５２−８２４−３３３３」に対応付けられたＢＯＸ３０を「ＢＯＸ３０ｃ」と称することがある。
【００３３】
ＢＯＸ３０は、ＣＰＵ３１と、ＲＯＭ３２と、ＲＡＭ３３と、無線ＬＡＮ通信制御回路３４と、モデム３５と、ＮＣＵ３６とを有する。これらの構成要素は、入出力ポート３７を介して互いに接続されている。
【００３４】
ＣＰＵ３１は、ＲＯＭ３２等に記憶される固定値やプログラムに従って、入出力ポート３７を介して接続されている各部を制御する。ＲＯＭ３２は、書換不能なメモリであって、図４を参照して後述する通信制御処理を実行するためのプログラムなどが格納されている。ＲＡＭ３３は、書換可能な揮発性のメモリである。
【００３５】
無線ＬＡＮ通信制御回路３４は、上述した無線ＬＡＮ通信制御回路１５と同様に構成される回路であり、ＭＦＰ１０との間に無線ＬＡＮ接続を形成する。なお、無線ＬＡＮ通信制御回路３４にはアンテナ部（図示せず）が接続されており、このアンテナ部を介して、各種のデータを構成するデジタル信号を送受信する。
【００３６】
モデム３５は、ＦＡＸ機能によって送信するＦＡＸ送信データを、電話回線網１００に伝送可能な信号に変調して電話回線接続部（以下、「ＮＣＵ」と称す）３６を介して送信したり、電話回線網１００からＮＣＵ３６を介して入力された信号を受信し、画像データへ復調するものである。ＮＣＵ３６は、ＢＯＸ３０と電話回線網１００との間を接続するものであり、回線を閉結または開放することにより、電話回線網１００を介した相手側装置５００との間の接続または切断を可能とする。
【００３７】
図２（ａ）は、上述したＢＯＸ情報メモリ１４ａの内容を示す模式図である。ＢＯＸ情報メモリ１４ａには、ＢＯＸ情報が、通信システム１内に設定されたＢＯＸ３０の数に応じた数だけ記憶される。１のＢＯＸ情報は、ＢＯＸ番号１４ａ１と、ＢＯＸ使用者１４ａ２と、回線番号１４ａ３とから構成される。１のＢＯＸ情報（これらの情報１４ａ１〜１４ａ３）は、ユーザが通信システム１にＢＯＸ３０を追加するために所定の設定操作を行うことによってＢＯＸ情報メモリ１４ａに追加される。
【００３８】
ＢＯＸ番号１４ａ１は、通信システム１内に設けられたＢＯＸ３０を個々に特定するＢＯＸ番号（変数）である。ＢＯＸ使用者１４ａ１は、ＢＯＸ番号１４ａ１により特定されるＢＯＸ３０のユーザ（個人、グループ、会社名など）を示す情報である。回線番号１４ａ３は、ＢＯＸ番号１４ａ１により特定されるＢＯＸ３０に対応付けられている回線番号である。
【００３９】
図２（ａ）によれば、回線番号が「０５２−８２４−１１１１」であるＢＯＸ３０ａ（図１参照）は、ＢＯＸ番号１４ａ１が「１」であり、ＢＯＸ使用者１４ａ２が「山田太朗」である。同様に、ＢＯＸ３０ｂは、ＢＯＸ番号１４ａ１が「２」であり、ＢＯＸ使用者１４ａ２が「山田歯科」である。また、ＢＯＸ３０ｃは、ＢＯＸ番号１４ａ１が「３」であり、ＢＯＸ使用者１４ａ２が「山田一郎」である。
【００４０】
図２（ｂ）は、上述した電話帳メモリ１４ｂの内容を示す模式図である。電話帳メモリ１４ｂには、ユーザによって登録された相手先情報が記憶される。１の相手先情報は、相手先名１４ｂ２と、相手先番号１４ｂ２と、ＢＯＸ番号１４ｂ３と、１８４フラグ１４ｂ４とから構成される。１の相手先情報（これらの情報１４ｂ１〜１４ｂ４）は、ユーザが所定の登録操作を行うことによって電話帳メモリ１４ｂに適宜追加される。
【００４１】
相手先名１４ｂ１は、１の相手側装置５００のユーザ（個人、グループ、会社名など）を示す情報である。相手先番号１４ｂ２は、相手先名１４ｂ１をユーザとする相手側装置５００の回線番号である。
【００４２】
ＢＯＸ番号１４ｂ３は、相手先番号１４ｂ２により特定される相手側装置５００との通信を行う場合に発信元として使用するＢＯＸ３０（３０ａ〜３０ｃ）を特定するＢＯＸ番号であり、使用するＢＯＸ３０（即ち、使用する回線番号）に応じたＢＯＸ番号が設定される。このように、電話帳メモリ１４ｂは、１の相手先情報毎にＢＯＸ番号１４ｂ３を設定できるように構成されているので、相手側装置５００（より詳細には、そのユーザ）に応じたＢＯＸ３０を発信元として容易に選定することができる。
【００４３】
１８４フラグ１４ｂ４は、ＢＯＸ番号１４ａ３により特定されるＢＯＸ３０が通信エラーによって使用できず、他のＢＯＸ３０を替わりに使用する場合に、相手先番号１４ｂ２の先頭に「１８４」を付加するか否かを規定するフラグである。この１８４フラグ１４ｂ４の値が「１」であれば、相手先番号１４ｂ２の先頭に「１８４」を付加することを示し、「０」であれば、相手先番号１４ｂ２の先頭に「１８４」を付加しないことを示す。
【００４４】
よって、１の相手先（相手先名１４ｂ１、相手先番号１４ｂ２）に対応付けられているＢＯＸ番号１４ｂ３以外のＢＯＸ番号のＢＯＸ３０が使用された場合に、その回線番号を相手側装置５００へ通知するか否かを１８４フラグ１４ｂ４によって予め設定することができるので、相手側装置５００への通知内容を自在に設定できる。また、特定のＢＯＸ３０の回線番号以外の通知／非通知を、相手先情報の登録者（ＭＦＰ１０のユーザ）の都合に応じて適切かつ容易に制御することができる。
【００４５】
図２（ｃ）は、上述した発信履歴メモリ１４ｃの内容を示す模式図である。発信履歴メモリ１４ｃには、ＦＡＸ送信データの送信が行われる毎に、発信履歴として、相手先番号（送信先番号）１４ｃ１と、ＢＯＸ番号１４ｃ２とから構成される発信履歴データが記憶される。
【００４６】
相手先番号（送信先番号）１４ｃ１は、ＦＡＸ送信データの送信先とした相手側装置５００の相手先番号である。ＢＯＸ番号１４ｃ２は、ＦＡＸ送信データを送信する際に発信元として最初に選定したＢＯＸ３０（３０ａ〜３０ｃ）を特定するＢＯＸ番号であり、使用するＢＯＸ３０に応じたＢＯＸ番号が設定される。
【００４７】
本実施形態のＭＦＰ１０は、発信履歴メモリ１４ｃに発信履歴データとして記憶されている相手先番号１４ｃ１の中から、ＦＡＸ送信データの送信先とする相手側装置５００を選ぶことができるように構成されており、送信先の相手側装置５００を発信履歴データから選んだ場合には、選択された相手先番号１４ｃ１に対応するＢＯＸ番号１４ｃ２により特定されるＢＯＸ３０（３０ａ〜３０ｃ）が、発信元のＢＯＸとして最初に選定されるように構成されている。一般的に、同じ相手側装置５００へは、同じ回線番号からＦＡＸ送信データを送信する傾向にあるので、相手側装置５００に対して適切な回線番号のＢＯＸ３０を発信元のＢＯＸとして容易に選定することができる。
【００４８】
図２（ｄ）は、上述した受信履歴メモリ１４ｄの内容を示す模式図である。受信履歴メモリ１４ｄには、相手側装置５００から画像データ（ＦＡＸ受信データ）を受信する毎に、受信履歴として、相手先番号（発信元番号）１４ｄ１と、ＢＯＸ番号１４ｄ２とから構成される受信履歴データが記憶される。
【００４９】
相手先番号（発信元番号）１４ｄ１は、画像データの発信元である相手側装置５００の相手先番号である。ＢＯＸ番号１４ｄ２は、画像データを受信したＢＯＸ３０（３０ａ〜３０ｃ）を特定するＢＯＸ番号であり、使用するＢＯＸ３０に応じたＢＯＸ番号が設定される。
【００５０】
本実施形態のＭＦＰ１０は、受信履歴メモリ１４ｄに受信履歴データとして記憶されている相手先番号１４ｄ１の中から、ＦＡＸ送信データの送信先とする相手側装置５００を選ぶことができるように構成されており、送信先の相手側装置５００を受信履歴データから選んだ場合には、選択された相手先番号１４ｄ１に対応するＢＯＸ番号１４ｄ２により特定されるＢＯＸ３０（３０ａ〜３０ｃ）が、発信元のＢＯＸとして最初に選定されるように構成されている。一般的に、相手側装置５００から画像データを受信した場合には、その相手側装置５００が使用した回線番号からＦＡＸ送信データを送信する傾向にあるので、相手側装置５００に対して適切な回線番号のＢＯＸ３０を発信元のＢＯＸとして容易に選定することができる。
【００５１】
図３は、ＭＦＰ１０のＣＰＵ１１が実行するＦＡＸ送信処理を示すフローチャートである。このＦＡＸ送信処理は、送信先の相手側装置５００へＦＡＸ送信データを送信するために、その発信元とする１台のＢＯＸ３０へＦＡＸ送信データを送信する処理であり、ユーザが所定のＦＡＸ送信操作を行った場合に起動する。
【００５２】
なお、本実施形態では、ＦＡＸ送信処理を実行する契機となるＦＡＸ送信操作として、相手先番号の入力方法に応じた４種類の方法がある。第１の方法は、相手先番号をテンキー（ボタン入力部１９の一部）から入力する方法である。具体的には、ユーザが、まず、送信先として所望する相手側装置５００の相手先番号をテンキーから直接入力し、次に、発信元として使用するＢＯＸ３０（即ち、ＦＡＸ送信データを送信するために使用する回線番号）を所定の操作によって選択した後、スタートキー（ボタン入力部１９の一部）を操作する方法である。
【００５３】
第２の方法は、電話帳メモリ１４ｂに記憶されている相手先番号１４ｂ２の中から相手先番号を入力する方法である。具体的には、まず、ＭＦＰ１０が、電話帳メモリ１４ｂの内容をＬＣＤ１８に表示し、次に、ユーザが、表示内容に基づいて１の相手先情報を選択する操作を行った後、スタートキーを操作する方法である。かかる方法では、選択された相手先情報に含まれる相手先番号１４ｂ２が送信先の相手先番号として入力され、ＢＯＸ番号１４ｂ３が発信元として使用するＢＯＸ３０として選定される。
【００５４】
第３の方法は、発信履歴メモリ１４ｃに記憶されている相手先番号１４ｃ１の中から相手先番号を入力する方法である。具体的には、まず、ＭＦＰ１０が、発信履歴メモリ１４ｃの内容をＬＣＤ１８に表示し、次に、ユーザが、表示内容に基づいて１の発信履歴データを選択する操作を行った後、スタートキーを操作する方法である。かかる方法では、選択された発信履歴データに含まれる相手先番号１４ｃ１が送信先の相手先番号として入力され、ＢＯＸ番号１４ｃ２が発信元として使用するＢＯＸ３０として選定される。
【００５５】
第４の方法は、受信履歴メモリ１４ｄに記憶されている相手先番号１４ｄ１の中から相手先番号を入力する方法である。具体的には、まず、ＭＦＰ１０が、受信履歴メモリ１４ｄの内容をＬＣＤ１８に表示し、次に、ユーザが、表示内容に基づいて１の受信履歴データを選択する操作を行った後、スタートキーを操作する方法である。かかる方法では、選択された受信履歴データに含まれる相手先番号１４ｄ１が送信先の相手先番号として入力され、ＢＯＸ番号１４ｄ２が発信元として使用するＢＯＸ３０として選定される。
【００５６】
ユーザが所定のＦＡＸ送信操作を行ったことによりＦＡＸ送信処理が起動すると、まず、ＣＰＵ１１は、相手先番号の入力方法を判断する（Ｓ３０１）。ＣＰＵ１１は、相手先番号の入力方法がテンキーによるものであると判断した場合には（Ｓ３０１：テンキー）、テンキーから入力された相手先番号を相手先番号バッファ１３ａにセットする（Ｓ３０２）。次に、ＣＰＵ１１は、ユーザにより選択されたＢＯＸに対応するＢＯＸ番号（ＢＯＸ番号１４ａ１）を、ＢＯＸ情報メモリ１４ａを参照して取得し、そのＢＯＸ番号をＢＯＸ番号メモリ１３ｃにセットし（Ｓ３０３）、処理をＳ３０８へ移行する。
【００５７】
一方、ＣＰＵ１１は、相手先番号の入力方法が電話帳メモリ１４ｂの内容に基づくものであると判断した場合には（Ｓ３０１：電話帳）、電話帳メモリ１４ｂから選択された相手先情報の相手先番号１４ｂ２を相手先番号バッファ１３ａにセットする（Ｓ３０４）。次に、選択された相手先情報のＢＯＸ番号１４ｂ３をＢＯＸ番号メモリ１３ｃにセットし（Ｓ３０５）、処理をＳ３０８へ移行する。
【００５８】
また、ＣＰＵ１１は、相手先番号の入力方法が発信履歴メモリ１４ｃ又は受信履歴メモリ１４ｄの内容に基づくものであると判断した場合には（Ｓ３０１：発信／受信履歴）、発信履歴メモリ１４ｃ又は受信履歴メモリ１４ｄから選択された履歴データ（発信履歴データ又は受信履歴データ）の相手先番号１４ｃ１又は相手先番号１４ｄ１を相手先番号バッファ１３ａにセットする（Ｓ３０６）。次に、選択された履歴データのＢＯＸ番号１４ｃ２又はＢＯＸ番号１４ｄ２をＢＯＸ番号メモリ１３ｃにセットし（Ｓ３０７）、処理をＳ３０８へ移行する。
【００５９】
Ｓ３０８において、ＣＰＵ１１は、相手先番号バッファ１３ａ及びＢＯＸ番号メモリ１３ｃの内容を、発信履歴データとして、発信履歴メモリ１４ｃに追加する（Ｓ３０８）。かかる処理により、相手先番号バッファ１３ａの内容を相手先番号１４ｃ１とし、ＢＯＸ番号メモリ１３ｃの内容をＢＯＸ番号１４ｃ２とする発信履歴データが、発信履歴メモリ１４ｃに追加される。
【００６０】
Ｓ３０８の処理後、ＣＰＵ１１は、ＢＯＸ台数カウンタ１３ｄの０クリアを行う（Ｓ３０９）。次いで、ＣＰＵ１１は、ＢＯＸ番号メモリ１３ｃにセットされているＢＯＸ番号に対応する発信元情報を発信元情報バッファ１３ｂにセットする（Ｓ３１０）。具体的に、ＢＯＸ情報メモリ１４ａを参照し、ＢＯＸ番号メモリ１３ｃにセットされているＢＯＸ番号に対応するＢＯＸ使用者１４ａ２及び回線番号１４ａ３を発信元情報として取得し、取得した発信元情報を発信元情報バッファ１３ｂにセットする。
【００６１】
詳細は後述するが、ＦＡＸ送信データを相手側装置５００へ出力する場合には、発信元情報バッファ１３ｂにセットされていた発信元情報が、ＴＳＩ信号として相手側装置５００に出力される。Ｓ３１０において発信元情報バッファ１３ｂにセットされた発信元情報は、その後に、発信元として最初に選定されたＢＯＸ３０との間で通信エラーが生じ、他のＢＯＸ３０を替わりに使用することになったとしても、変更されることはないので、代替的に使用したＢＯＸ３０を示す識別情報が、ＴＳＩ信号により相手側装置５００のユーザに知られることを防止することができる。
【００６２】
なお、本実施形態では、ＢＯＸ使用者１４ａ２と回線番号１４ａ３との組を発信元情報としたが、ＢＯＸ使用者１４ａ２だけを発信元情報としても、回線番号１４ａ３だけを発信元情報としてもよい。また、ＢＯＸ使用者及び回線番号以外にも、ＢＯＸ番号メモリ１３ｃにセットされているＢＯＸ番号により特定されるＢＯＸ３０を示す情報であれば、発信元情報として使用することができる。
【００６３】
次に、ＣＰＵ１１は、スキャナ１７による原稿の読み取りを実行し（Ｓ３１１）、得られた画像データに、発信元情報バッファ１３ｂにセットされている発信元情報をヘッダとして付加してＦＡＸ送信データを生成する（Ｓ３１２）。
【００６４】
ここで、発信元情報バッファ１３ｂにセットされている発信元情報は、Ｓ３０３、Ｓ３０５、またはＳ３０７においてＢＯＸ番号メモリ１３ｃにセットされたＢＯＸ番号に対応する発信元情報、即ち、発信元として最初に選定されたＢＯＸ３０（３０ａ〜３０ｃ）の発信元情報である。よって、Ｓ３１２において生成されたＦＡＸ送信データを受信した相手側装置５００から出力されるファクシミリ画像には、発信元として最初に選定されたＢＯＸ３０の発信元情報（本実施形態では、ＢＯＸ使用者及び回線番号）とが表示される。
【００６５】
よって、発信元として最初に選定されたＢＯＸ３０との間で通信エラーが生じ、替わりに他のＢＯＸ３０を使用することになったとしても、相手側装置５００から出力されたファクシミリ画像には、最初に選定されたＢＯＸ３０の発信元情報しか表示されないので、代替的に使用したＢＯＸ３０を示す識別情報が相手側装置５００のユーザに知られることを防止することができる。
【００６６】
Ｓ３１２の処理後、ＣＰＵ１１は、ＢＯＸ番号メモリ１３ｃにセットされているＢＯＸ番号のＢＯＸ３０へ、相手先番号バッファ１３ａの内容と、発信元情報バッファ１３ｂにセットされている発信元情報と、Ｓ３１２にて生成したＦＡＸ送信データとを送信する（Ｓ３１３）。詳細は後述するが、Ｓ３１３の処理により送信された各データを受信したＢＯＸ３０は、相手先番号バッファ１３ａの内容に基づいて相手側装置５００を発呼（接続要求）し、発信元情報バッファ１３ｂにセットされていた発信元情報をＴＳＩ信号として相手側装置５００に出力し、ＦＡＸ送信データを相手側装置５００に送信する。
【００６７】
次に、ＣＰＵ１１は、Ｓ３１３による各データの送信が正常に終了したか否かを判断し（Ｓ３１４）、正常に終了したと判断すれば（Ｓ３１４：Ｙｅｓ）、ＦＡＸ送信処理を終了する。
【００６８】
その一方で、例えば、ＭＦＰ１０とＢＯＸ３０との間の無線ＬＡＮ接続の不具合などの原因により、Ｓ３１３による各データの送信が正常に終了しなかったとＣＰＵ１１が判断した場合には（Ｓ３１４：Ｎｏ）、ＣＰＵ１１は、相手先番号の入力方法を判断する（Ｓ３１５）。
【００６９】
ＣＰＵ１１は、相手先番号の入力方法が電話帳メモリ１４ｂの内容に基づくものであると判断すると（Ｓ３１５：電話帳）、後述するＳ３１６〜Ｓ３２３の処理を実行し、通信システム１内に設定されている他のＢＯＸ３０へのデータ送信を試行する。
【００７０】
具体的に、ＣＰＵ１１は、まず、ＢＯＸ台数カウンタ１３ｄの値に１を加算し（Ｓ３１６）、ＢＯＸ台数カウンタ１３ｄの値が、通信システム１内に設定されているＢＯＸ３０の台数から１を減算した値より大きいか否かを判断する（Ｓ３１７）。なお、Ｓ３１７において、「通信システム１内に設定されているＢＯＸ３０の台数」は、例えば、ＢＯＸ情報メモリ１４ａにおけるＢＯＸ番号１４ａ１の最大値から求めることができる。ＢＯＸ３０が通信システム１に追加される毎に、通信システム１内に設定されているＢＯＸ３０の台数を計数又は記憶するカウンタやメモリを設け、その値を参照する構成としてもよい。
【００７１】
ＣＰＵ１１は、ＢＯＸ台数カウンタ１３ｄの値が、通信システム１内に設定されているＢＯＸ３０の台数から１を減算した値以下であると判断すると（Ｓ３１７：Ｎｏ）、データ送信を未だ試行していないＢＯＸ３０が存在するので、次のＢＯＸ３０を選択するために、ＢＯＸ番号メモリ１３ｃの値に１を加算する（Ｓ３１８）。
【００７２】
Ｓ３１８の処理後、ＣＰＵ１１は、ＢＯＸ番号メモリ１３ｃの値が、通信システム１内に設定されているＢＯＸ３０の台数より大きな値であるか否かを判断する（Ｓ３１９）。このとき、ＢＯＸ番号メモリ１３ｃの値が、通信システム１内に設定されているＢＯＸ３０の台数より大きな値であれば（Ｓ３１９：Ｙｅｓ）、ＢＯＸ番号メモリ１３ｃの値を１に設定する（Ｓ３２０）。
【００７３】
次に、ＣＰＵ１１は、電話帳メモリ１４ｂにおいて、相手先番号バッファ１３ａにセットされている相手先番号（即ち、送信先として選択されている相手先番号）に対応付けられている１８４フラグ１４ｂ４の値を取得し（Ｓ３２１）、取得した１８４フラグ１４ｂ４の値が１であるか否かを判断する（Ｓ３２２）。
【００７４】
ＣＰＵ１１は、１８４フラグ１４ｂ４の値が１であると判断すると（Ｓ３２２：Ｙｅｓ）、相手先番号バッファ１３ａにセットされている相手先番号の先頭に「１８４」を付加し（Ｓ３２３）、処理をＳ３１３へ移行する。この後、Ｓ３１３において、代替的に選定された次のＢＯＸ３０へのデータ送信が実行され、データ送信が成功した場合には、その送信先となったＢＯＸ３０は、先頭に「１８４」が付加された相手先番号を発呼する。電話回線網１００の中継装置である交換機（図示せず）は、相手先番号の先頭に「１８４」が付加されている場合には、発信元の回線番号を非通知とするので、代替的に使用したＢＯＸ３０の回線番号が相手側装置５００のナンバーディスプレイ機能によって表示されることがない。
【００７５】
その一方で、ＣＰＵ１１は、１８４フラグ１４ｂ４の値が０であると判断すると（Ｓ３２２：Ｎｏ）、Ｓ３２３の処理をスキップして、処理をＳ３１３へ移行する。かかる場合には、データの送信先となったＢＯＸ３０は、先頭に「１８４」を付加することなく相手先番号の発呼を行うので、相手側装置５００にナンバーディスプレイ機能が設定されていれば、そのＢＯＸ３０の回線番号は、相手側装置５００のＬＣＤに表示される。
【００７６】
また、ＣＰＵ１１は、Ｓ３１７において、ＢＯＸ台数カウンタ１３ｄの値が、通信システム１内に設定されているＢＯＸ３０の台数から１を減算した値より大きいと判断した場合には（Ｓ３１７：Ｙｅｓ）、通信システム１内に設定されている全てのＢＯＸ３０についてデータ送信が成功しなかったので、ＬＣＤ１８にエラーを表示し（Ｓ３２４）、ＦＡＸ送信処理を終了する。
【００７７】
また、ＣＰＵ１１は、Ｓ３１５において、相手先番号の入力方法が電話帳メモリ１４ｂの内容に基づく方法以外の方法であると判断すると（Ｓ３１５：電話帳以外）、かかる場合もまた、処理をＳ３２４へ移行し、ＬＣＤ１８にエラーを表示し（Ｓ３２４）、ＦＡＸ送信処理を終了する。
【００７８】
このように、相手先番号の入力方法が電話帳メモリ１４ｂの内容に基づく方法以外である場合に、代替的に使用したＢＯＸ３０の回線番号を通知してよいか否かは、ＭＦＰ１０のユーザ（ＦＡＸの送信者）や相手側装置５００のユーザが誰であるかによって異なることがある。本実施形態のＭＦＰ１０は、１８４フラグ１４ｂ４を含む電話帳メモリ１４ｂの内容に基づく方法以外の入力方法で相手先番号が入力された場合には、発信元として最初に選定されたＢＯＸ３０へのデータ送信が不成功であれば、ＦＡＸ送信処理を終了するように構成されているので、その都度、送信先の相手側装置５００に応じた適切な対処ができる。また、エラー表示が行われるので、ＭＦＰ１０のユーザは、その旨（即ち、発信元として最初に選定されたＢＯＸ３０へのデータ送信が不成功であったこと）を早々に認識できる。
【００７９】
図４は、ＢＯＸ３０のＣＰＵ３１が実行する通信制御処理を示すフローチャートである。この通信制御処理は、電話回線網１００を介して相手側装置５００との通信を行うための処理であり、その一部として、ＭＦＰ１０から受信したＦＡＸ送信データを相手側装置５００へ送信する処理を含む。この通信制御処理は、ＢＯＸ３０に電源が投入されると起動する。
【００８０】
まず、ＣＰＵ３１は、ＢＯＸ３０を待機状態とする（Ｓ４０１）。次に、ＣＰＵ３１は、相手先番号、発信元情報、およびＦＡＸ送信データを、ＭＦＰ１０から受信したか否かを判断する（Ｓ４０２）。ＣＰＵ３１は、ＭＦＰ１０からこれらのデータを受信していないと判断すると（Ｓ４０２：Ｎｏ）、処理をＳ４０３へ移行する。
【００８１】
一方で、ＣＰＵ３１は、ＭＦＰ１０からこれらのデータを受信したと判断すると（Ｓ４０２：Ｙｅｓ）、受信した相手先番号を発呼する（Ｓ４０４）。このとき、ＭＦＰ１０から受信した相手先番号が、その先頭に「１８４」が付加されている番号であれば、このＢＯＸ３０に対応付けられている回線番号は、電話回線網１００の交換機（図示せず）から相手側装置５００に送信されない。
【００８２】
Ｓ４０４の処理後、Ｇ３ＦＡＸのプロトコルに基づき、相手側装置５００から呼を確立するＣＥＤ信号や、相手側装置５００の受信能力を示す信号（ＮＳＦ信号、ＤＩＳ信号）を受信すると、ＣＰＵ３１は、ＭＦＰ１０から受信した発信元情報をＴＳＩ信号（送受信端末信号）として送信する（Ｓ４０５）。ここで、本実施形態では、発信元情報は、それを受信したＢＯＸ３０（例えば、ＢＯＸ３０ｂ）が代替的に使用されるものであっても、送信元として最初に選定されたＢＯＸ３０（例えば、ＢＯＸ３０ａ）を示す発信元情報とされるので、代替的に使用したＢＯＸ３０を示す識別情報が、ＴＳＩ信号により相手側装置５００のユーザに知られることを防止できる。
【００８３】
続いて、Ｇ３ＦＡＸのプロトコルに基づくいくつかの信号の送受信を行った後、相手側装置５００から受信準備の完了を示す信号（ＣＦＲ信号）を受信すると、ＣＰＵ３１は、ＭＦＰ１０から受信したＦＡＸ送信データを相手側装置５００へ送信する（Ｓ４０６）。このとき、ＦＡＸ送信データのヘッダには、発信元として最初に選定されたＢＯＸ３０（例えば、ＢＯＸ３０ａ）の発信元情報が付加されているので、替わりのＢＯＸ３０（例えば、ＢＯＸ３０ｂ）が使用された場合であっても、その替わりのＢＯＸ３０を示す識別情報が相手側装置５００のユーザに知られることを防止することができる。
【００８４】
Ｓ４０６の処理後、ＦＡＸ送信データの送信が終了すると、ＣＰＵ３１は、処理をＳ４０３へ移行する。Ｓ４０３において、ＣＰＵ３１は、各処理として、例えば、相手側装置５００から画像データを受信した場合に、ファクシミリの受信処理を実行する（Ｓ４０３）。その後、ＣＰＵ３１は、処理をＳ４０１へ移行する、ＢＯＸ３０を待機状態とする。なお、Ｓ４０３において実行すべき処理がない場合には、ＣＰＵ３１は、処理をＳ４０１へ移行する。
【００８５】
以上説明した通り、本実施形態によれば、ＭＦＰ１０は、ＦＡＸ送信データの発信元として最初に選定されたＢＯＸ３０との間で通信エラーが生じた場合には、他のＢＯＸ３０を替わりに使用してＦＡＸ送信データの送信を行うので、ＢＯＸ３０を介した相手側装置５００へのＦＡＸ送信データ（画像データ）の送信の成功確率を高めることができる。そして、ＭＦＰ１０は、替わりのＢＯＸ３０を使用してＦＡＸ送信データの送信を行う場合には、相手先番号の先頭に「１８４」を付加したり、最初に選定されたＢＯＸ３０の識別情報を発信元情報とするので、代替的に使用したＢＯＸ３０を特定する識別情報が相手側装置５００のユーザに知られる不都合を防止できる。
【００８６】
以上、実施形態に基づき本発明を説明したが、本発明は上述した実施形態に何ら限定されるものでなく、本発明の趣旨を逸脱しない範囲内で種々の改良変形が可能であることは容易に推察できるものである。
【００８７】
例えば、上記実施形態では、ＢＯＸ３０は、Ｇ３ＦＡＸのプロトコルに基づいてＦＡＸ送信を行うものとして説明したが、Ｇ４ＦＡＸのプロトコルに基づいてＦＡＸ送信を行うものであってもよい。
【００８８】
また、上記実施形態では、ＢＯＸ３０と相手側装置５００とが電話回線網１００を介して通信されるものとしたが、ＢＯＸ３０と相手側装置５００との間はネットワーク回線であってもよい。即ち、ＢＯＸ３０は、ＩＰＦＡＸやＩｎｔｅｒｎｅｔＦＡＸによりＦＡＸ送信を行うものであってもよい。かかる場合には、代替的なＢＯＸ３０を使用するときに、ＢＯＸ３０を特定する識別情報（例えば、ＩＰアドレスやｅ−ｍａｉｌアドレス）が相手側装置５００へ伝達されないように制御すればよい。例えば、回線の中継装置となるサーバ装置から、ＢＯＸ３０を特定する識別情報が相手側装置５００へ通知されないように、相手側装置５００を特定する識別情報（例えば、ＩＰアドレスやｅ−ｍａｉｌアドレス）に所定の情報を付加するようにしてもよい。または、代替的なＢＯＸ３０を使用する場合であっても、最初に選定されたＢＯＸ３０を特定する識別情報を、相手側装置５００に認識させる発信元情報とするように構成してもよい。
【００８９】
また、上記実施形態では、ＭＦＰ１０とＢＯＸ３０とを無線ＬＡＮ接続するよう構成したが、有線ＬＡＮにより接続するものとしてもよい。
【００９０】
また、上記実施形態では、相手先番号の入力方法が電話帳メモリ１４ｂの内容に基づく方法以外の方法である場合には、ＭＦＰ１０からＢＯＸ３０へのＦＡＸ送信データの送信が不成功であった場合に、次のＢＯＸ３０を探すことなくエラー報知をして終了する構成としたが、相手先番号の入力方法にかかわらず、ＭＦＰ１０からＢＯＸ３０へのＦＡＸ送信データの送信が不成功であった場合に、次のＢＯＸ３０を探す構成としてもよい。
【００９１】
また、上記実施形態では、ＭＦＰ１０がＢＯＸ３０を介してファクシミリ送信データを相手側装置５００へ送信する場合に、発信元として最初に選定されたＢＯＸ３０へのファクシミリ送信データの送信が不成功であった場合に、相手先番号の先頭に「１８４」を付加する構成としたが、ＭＦＰ１０が送受話器を有すると共に、ボタン入力部１９の１つとしてオフフックキーを有する通話装置である場合であっても適用可能である。即ち、例えば、電話帳メモリ１４ｂに記憶されている相手先番号１４ｂ２の中から所望の相手先番号を選択した状態でオフフックキーを操作し、ＢＯＸ３０を介して、選択した相手先番号の相手側装置５００と通話を行う場合に、発信元として最初に選定されたＢＯＸ３０との通信が不成功であった場合（例えば、回線番号の送信が不成功であった場合）に、相手先番号の先頭に「１８４」を付加する構成としとしてもよい。かかる場合も、上記実施形態と同様、代替的に使用したＢＯＸ３０の回線番号が相手側装置５００に通知されず、相手側装置５００のユーザに代替的に使用したＢＯＸ３０の情報を知られることがない。
【００９２】
また、上記実施形態では、通信システム１を、ＭＦＰ１０と、ＢＯＸ３０とか構成されるものとしたが、通信システム１が、ＢＯＸ３０と無線ＬＡＮ又は有線ＬＡＮにより接続され、ＢＯＸ３０を介して相手側装置５００と通話可能な子機を有する構成としてもよい。かかる場合に、子機と、発信元として最初に選定されたＢＯＸ３０との通信が不成功であった場合に、相手先番号の先頭に「１８４」を付加する構成としとしてもよい。
【符号の説明】
【００９３】
１      通信システム
１０    ＭＦＰ（通信装置の一例）
１３ｂ  発信元情報バッファ（第１の情報記憶手段の一例，第２の情報記憶手段の一例）
１４ｂ  電話帳メモリ（相手側装置記憶手段の一例）
１９    ボタン入力部（送信指示手段の一例）
３０    ＢＯＸ（通信制御装置の一例）
１００  電話回線網（回線の一例，電話回線の一例）
５００  相手側装置
Ｓ３０２    選定手段の一例
Ｓ３０５    選定手段の一例
Ｓ３０７    選定手段の一例
Ｓ３１２    情報付加手段の一例
Ｓ３１３    第１の送信手段の一例，第２の送信手段の一例
Ｓ３２１    制御手段の一例
Ｓ３２４    報知手段の一例
Ｓ４０４    接続要求手段の一例
Ｓ４０６    画像データ送信手段の一例
【図１】
0005402902.tif 000002
【図２】
0005402902.tif 000003
【図３】
0005402902.tif 000004
【図４】
0005402902.tif 000005